(57)【要約】【課題】表示部に表示された貼付箇所画像とプレビュー画像とのサイズバランスを容易に調整可能とする表示制御プログラム等を提供する。【解決手段】印刷媒体に印刷画像が印刷されたラベルが貼付される貼付箇所の画像である貼付箇所画像４２と、ラベルのプレビュー画像３５と、を重ね合わせた合成画像４４を、表示部に表示する表示ステップと、合成画像４４を表示部に表示した状態で、合成画像４４を変化させるユーザーからの操作を受け付ける操作ステップと、操作ステップにおける操作に基づいて、変化した合成画像４４を表示部に表示する表示変化ステップと、をコンピューターに実行させ、操作ステップにおいて、合成画像４４の変化として、貼付箇所画像４２に対するプレビュー画像３５の相対サイズを変化させるユーザーからの操作を受け付けることを、コンピューターに実行させる。【選択図】図６
2014203423.tif 000002
【特許請求の範囲】
【請求項１】
印刷媒体に印刷画像が印刷されたラベルが貼付される貼付箇所の画像である貼付箇所画像と、前記ラベルのプレビュー画像と、を重ね合わせた合成画像を、表示部に表示する表示ステップと、
前記合成画像を前記表示部に表示した状態で、前記合成画像を変化させるユーザーからの操作を受け付ける操作ステップと、
前記操作ステップにおける前記操作に基づいて、変化した前記合成画像を前記表示部に表示する表示変化ステップと、をコンピューターに実行させ、
前記操作ステップにおいて、前記合成画像の変化として、前記貼付箇所画像に対する前記プレビュー画像の相対サイズを変化させるユーザーからの前記操作を受け付けることを、前記コンピューターに実行させることを特徴とする表示制御プログラム。
【請求項２】
前記操作ステップにおいて、前記印刷媒体が矩形状である場合に、前記合成画像の変化として、前記プレビュー画像を台形変化させるユーザーからの前記操作を受け付けることを、前記コンピューターに実行させることを特徴とする請求項１に記載の表示制御プログラム。
【請求項３】
前記貼付箇所と前記ラベルとのサイズ比が、前記相対サイズの変化後における前記貼付箇所画像と前記プレビュー画像とのサイズ比と等しくなるように、前記印刷データを作成する印刷データ作成ステップを、前記コンピューターにさらに実行させることを特徴とする請求項１または２に記載の表示制御プログラム。
【請求項４】
印刷媒体に印刷画像が印刷されたラベルが貼付される貼付箇所の画像である貼付箇所画像と、前記ラベルのプレビュー画像と、を重ね合わせた合成画像を、表示部に表示する表示ステップと、
前記合成画像が前記表示部に表示された状態で、前記貼付箇所画像に対する前記プレビュー画像の相対サイズを変化させるユーザーからの操作を受け付ける操作ステップと、
受け付けた前記操作に基づいて、変化した前記合成画像を前記表示部に表示する表示変化ステップと、を実行することを特徴とする表示制御方法。
【請求項５】
表示部と、
印刷媒体に印刷画像が印刷されたラベルが貼付される貼付箇所の画像である貼付箇所画像と、前記ラベルのプレビュー画像と、を重ね合わせた合成画像を、前記表示部に表示する表示制御部と、
前記合成画像が前記表示部に表示された状態で、前記貼付箇所画像に対する前記プレビュー画像の相対サイズを変化させるユーザーからの操作を受け付ける操作部と、を備え、
前記表示制御部は、前記操作部が受け付けた前記操作に基づいて、変化した前記合成画像を前記表示部に表示することを特徴とする表示装置。
【請求項６】
前記貼付箇所と前記ラベルとのサイズ比が、前記相対サイズの変化後における前記貼付箇所画像と前記プレビュー画像とのサイズ比と等しくなるように、前記印刷データを作成する印刷データ作成部と、
作成された前記印刷データを出力するデータ出力部と、
をさらに備えたことを特徴とする請求項５に記載の表示装置。
【請求項７】
請求項６に記載の表示装置と、
出力された前記印刷データに基づいて、前記印刷媒体に前記印刷画像を印刷する印刷装置と、
を備えたことを特徴とする印刷システム。
【発明の詳細な説明】
【技術分野】
【０００１】
本発明は、ラベルが貼付される貼付箇所の画像と、ラベルのプレビュー画像と、を重ね合わせた合成画像を表示部に表示するための表示制御プログラム、表示制御方法、表示装置および印刷システムに関するものである。
【背景技術】
【０００２】
従来、撮影部と、撮影部で撮影された画像を表示させるタッチパネル表示部とを備え、ラベルが貼付される貼付箇所の画像と印刷前のラベルのプレビュー画像とを合わせてタッチパネル表示部に表示させてラベルを作成する印字装置が知られている。この印字装置は、タッチパネル表示部に表示された貼付箇所画像の縮尺に合せてプレビュー画像を表示することで、ラベルの印刷前に、実際と同様のサイズバランスで、貼付箇所にラベルが貼付された貼付イメージをユーザーが確認可能とするものである（特許文献１参照）。
【先行技術文献】
【特許文献】
【０００３】
【特許文献１】特開２０１２−１６６５１１号公報
【発明の概要】
【発明が解決しようとする課題】
【０００４】
ところで、ユーザーが、貼付箇所とラベルとのサイズバランスをさほど考慮せずに、文字入力およびフォントサイズの設定等を行う場合もある。この場合、ユーザーが、従来の印字装置（印刷装置）を用いて、貼付箇所画像とプレビュー画像とをタッチパネル表示部に表示してみたら、貼付箇所画像とプレビュー画像とのサイズバランスが良くなかった、ということもあり得る。しかしながら、従来の印字装置では、貼付箇所画像に対するプレビュー画像の相対サイズを変更することができなかった。このため、タッチパネル表示部に表示された貼付箇所画像とプレビュー画像とのサイズバランスが良くない場合にも、改めて文字入力およびフォントサイズの設定等を行わない限り、貼付箇所画像とプレビュー画像とのサイズバランスを調整することができなかった。したがって、ユーザーは、ラベルの印刷前に、貼付箇所画像とプレビュー画像とのサイズバランスが調整された貼付イメージを確認することができなかった。
【０００５】
本発明は、表示部に表示された貼付箇所画像とプレビュー画像とのサイズバランスを容易に調整可能とする表示制御プログラム、表示制御方法、表示装置および印刷システムを提供することを課題としている。
【課題を解決するための手段】
【０００６】
本発明の表示制御プログラムは、印刷媒体に印刷画像が印刷されたラベルが貼付される貼付箇所の画像である貼付箇所画像と、ラベルのプレビュー画像と、を重ね合わせた合成画像を、表示部に表示する表示ステップと、合成画像を表示部に表示した状態で、合成画像を変化させるユーザーからの操作を受け付ける操作ステップと、操作ステップにおける操作に基づいて、変化した合成画像を表示部に表示する表示変化ステップと、をコンピューターに実行させ、操作ステップにおいて、合成画像の変化として、貼付箇所画像に対するプレビュー画像の相対サイズを変化させるユーザーからの操作を受け付けることを、コンピューターに実行させることを特徴とする。
【０００７】
本発明の表示制御方法は、印刷媒体に印刷画像が印刷されたラベルが貼付される貼付箇所の画像である貼付箇所画像と、ラベルのプレビュー画像と、を重ね合わせた合成画像を、表示部に表示する表示ステップと、合成画像が表示部に表示された状態で、貼付箇所画像に対するプレビュー画像の相対サイズを変化させるユーザーからの操作を受け付ける操作ステップと、受け付けた操作に基づいて、変化した合成画像を表示部に表示する表示変化ステップと、を実行することを特徴とする。
【０００８】
本発明の表示装置は、表示部と、印刷媒体に印刷画像が印刷されたラベルが貼付される貼付箇所の画像である貼付箇所画像と、ラベルのプレビュー画像と、を重ね合わせた合成画像を、表示部に表示する表示制御部と、合成画像が表示部に表示された状態で、貼付箇所画像に対するプレビュー画像の相対サイズを変化させるユーザーからの操作を受け付ける操作部と、を備え、表示制御部は、操作部が受け付けた操作に基づいて、変化した合成画像を表示部に表示することを特徴とする。
【０００９】
この構成によれば、合成画像が表示部に表示された状態で、ユーザーが貼付箇所画像に対するプレビュー画像の相対サイズを変化させる操作を行うと、該相対サイズの変化した合成画像が表示部に表示される。このため、ユーザーは、表示部に表示された合成画像を確認しながら、貼付箇所画像とプレビュー画像とのサイズバランスを変化させることができる。したがって、ユーザーが、表示部に表示された貼付箇所画像とプレビュー画像とのサイズバランスを容易に調整することができる。これゆえ、ユーザーは、ラベルの印刷前に、貼付箇所画像とプレビュー画像とのサイズバランスが調整された貼付イメージを確認することができる。
【００１０】
上記の表示制御プログラムにおいて、操作ステップにおいて、印刷媒体が矩形状である場合に、合成画像の変化として、プレビュー画像を台形変化させるユーザーからの操作を受け付けることを、コンピューターに実行させることが好ましい。
【００１１】
この構成によれば、合成画像が表示部に表示された状態で、ユーザーがプレビュー画像を台形変化させる操作を行うと、台形変化したプレビュー画像が表示部に表示される。このため、ユーザーは、表示部に表示された合成画像を確認しながら、プレビュー画像を台形変形させることができる。したがって、表示部に表示された貼付箇所画像の台形歪み量と、プレビュー画像の台形歪み量とが異なる場合にも、両者の台形歪み量が一致するように、プレビュー画像を台形変形することができ、合成画像を違和感のないものとすることができる。
【００１２】
上記の表示制御プログラムにおいて、貼付箇所とラベルとのサイズ比が、相対サイズの変化後における貼付箇所画像とプレビュー画像とのサイズ比と等しくなるように、印刷データを作成する印刷データ作成ステップを、コンピューターにさらに実行させることが好ましい。
【００１３】
上記の表示装置において、貼付箇所とラベルとのサイズ比が、相対サイズの変化後における貼付箇所画像とプレビュー画像とのサイズ比と等しくなるように、印刷データを作成する印刷データ作成部と、作成された印刷データを出力するデータ出力部と、をさらに備えたことが好ましい。
【００１４】
この構成によれば、貼付箇所とラベルとのサイズ比が、相対サイズの変化後における貼付箇所画像とプレビュー画像とのサイズ比と等しくなるように、印刷画像ひいてはラベルのサイズが設定される。したがって、貼付箇所画像とプレビュー画像とのサイズバランスの調整結果が反映されたサイズのラベルを印刷することが可能となる。
【００１５】
本発明の印刷システムは、上記の表示装置と、出力された印刷データに基づいて、印刷媒体に印刷画像を印刷する印刷装置と、を備えたことを特徴とする。
【００１６】
この構成によれば、印刷されたラベルと貼付箇所とのサイズ比が、相対サイズの変化後における貼付箇所画像とプレビュー画像とのサイズ比と等しくなる。したがって、貼付箇所画像とプレビュー画像とのサイズバランスの調整結果が反映されたサイズのラベルを得ることができる。
【図面の簡単な説明】
【００１７】
【図１】本発明の一実施形態に係る印刷システムの構成図である。
【図２】印刷システムの制御構成を示すブロック図である。
【図３】印刷システムを構成する携帯端末において専用アプリケーションを起動した際に、ディスプレイに表示されるメイン画面を示す図である。
【図４】携帯端末のディスプレイに表示される印刷プレビュー画面を示す図である。
【図５】（ａ）は、貼付箇所画像とプレビューが画像とを重ね合わせた合成画像の一例を示す図、（ｂ）は、ユーザーが貼付箇所を撮像している様子を示す図である。
【図６】（ａ）は、図５（ａ）からプレビュー画像を縮小させた合成画像の図であり、（ｂ）は、図５（ａ）からプレビュー画像を等倍表示させた合成画像の図である。
【図７】（ａ）は、貼付箇所画像とプレビューが画像とを重ね合わせた合成画像の他の例を示す図、（ｂ）は、ユーザーが貼付箇所を撮像している様子を示す図である。
【図８】（ａ）は、図７（ａ）からプレビュー画像を縮小させた合成画像の図であり、（ｂ）は、図８（ａ）からプレビュー画像を台形変形させた合成画像の図である。
【発明を実施するための形態】
【００１８】
以下、添付の図面を参照して、本発明の表示制御プログラム、表示制御方法、表示装置および印刷システムに係る一実施形態について説明する。
【００１９】
図１に示すように、本実施形態の印刷システム１は、表示装置としての携帯端末２と、テープ印刷装置３とから構成されている。テープ印刷装置３は、例えばＵＳＢ（Universal Serial Bus）ケーブル４で接続された無線ＬＡＮ（Local Area Network）ルーター５を介して、携帯端末２と通信可能に無線接続されている。すなわち、無線ＬＡＮルーター５は、プリントサーバーとして機能している。もちろん、テープ印刷装置３と携帯端末２とを、無線ＬＡＮルーター５を介さず、無線或いは有線で、直接接続可能な構成としてもよい。
【００２０】
携帯端末２には、後述するテキスト編集から印刷データ出力までの一連の処理を行うための専用アプリケーションがインストールされている。携帯端末２は、ユーザーが専用アプリケーションを用いて編集した印刷画像の印刷データを、テープ印刷装置３に送信する。テープ印刷装置３は、携帯端末２から受信した印刷データに基づいて、テープ状部材６に印刷を行い、ラベルを作成する。専用アプリケーションは、所定のサーバー（Ｗｅｂサイト）からダウンロードされる。なお、専用アプリケーションを、各種記録媒体（ＣＤ−ＲＯＭ、フラッシュメモリー等）に格納して提供することも可能である。
【００２１】
携帯端末２は、タブレット端末やスマートフォンであり、タッチパネル式ディスプレイ７およびカメラモジュール１５（撮像レンズ８）を備えている。詳細は後述するが、携帯端末２は、カメラモジュール１５が撮像した画像（貼付箇所画像４２）に、ラベルのプレビュー画像３５を重ね合わせて、タッチパネル式ディスプレイ７に表示するようになっている（図５等参照）。
【００２２】
テープ印刷装置３は、カートリッジ９が着脱可能に構成されている。カートリッジ９は、テープ状部材６と、図示しないインクリボンと、プラテンローラーと、これらを収容したカートリッジケースとで構成されている。テープ印刷装置３は、携帯端末２から受信した印刷データに基づいて、カートリッジ９からテープ状部材６をテープ排出口１１に向けて繰り出しつつ、印刷処理を行う。テープ状部材６の印刷済み部分は、テープ印刷装置３に備えられたテープカッター１９（図２参照）により、或いは、装置外のハサミ等により、切り離される。切り離されたテープ片は、ラベルとして用いられる。なお、カートリッジ９には、テープ状部材６のテープ幅等が異なる複数種のものが用意されている。また、テープ状部材６は、例えば、剥離紙付きの粘着テープである。
【００２３】
次に、図２を参照し、印刷システム１の制御構成について説明する。携帯端末２は、上記のタッチパネル式ディスプレイ７を構成するディスプレイ１３（表示部）およびタッチパネル１４（操作部）と、カメラモジュール１５と、端末側インターフェース１６と、端末側制御部１７とを備えている。
【００２４】
ディスプレイ１３は、端末側制御部１７からの制御信号に基づいて、各種画像を表示する。タッチパネル１４は、ディスプレイ１３上に設けられ、ユーザーからの画面上に対するタッチ操作（いわゆる、タップ、フリップ、ピンチ、ドラッグなど）を検出し、検出結果を端末側制御部１７に出力する。
【００２５】
カメラモジュール１５は、撮像レンズ８およびイメージセンサーなどから構成されており、静止画および動画を撮像（撮影）し、得られた画像信号を端末側制御部１７に出力する。
【００２６】
端末側インターフェース１６（データ出力部）は、無線ＬＡＮルーター５との間で無線通信を行うためのものであり、印刷データを出力するほか、各種コマンドやステータスの送受信を行う。
【００２７】
端末側制御部１７は、ＣＰＵ（Central Processing Unit）、ＲＯＭ（Read Only Memory）、ＲＡＭ（Random Access Memory）等から構成されている。ＲＯＭには、制御プログラムや上記の専用アプリケーションが記憶されている。ＣＰＵは、ＲＯＭに記憶された制御プログラムや専用アプリケーションに従って、各種演算処理を行う。ＲＡＭは、ＣＰＵが各種演算処理を行う際のワークエリアとして用いられる。
【００２８】
一方、テープ印刷装置３は、送りモーター２０と、印刷ヘッド１８と、テープカッター１９と、カッターモーター２１と、装置側インターフェース２２と、装置側制御部２３とを備えている。
【００２９】
送りモーター２０は、装着されたカートリッジ９のプラテンローラーを回転駆動する。印刷ヘッド１８は、サーマル方式のものである。印刷ヘッド１８およびプラテンローラーが協働して、相互間に挟み込んだテープ状部材６およびインクリボンを繰り出して送りつつ、テープ状部材６に印刷を行う。テープカッター１９は、送られてきたテープ状部材６をテープ幅方向に切断する。カッターモーター２１は、テープカッター１９を切断動作させる。
【００３０】
装置側インターフェース２２は、ＵＳＢインターフェースなどにより構成され、印刷データを受信するほか、各種コマンドやステータスの送受信を行う。装置側制御部２３は、ＣＰＵ、ＲＯＭおよびＲＡＭ等から成り、テープ印刷装置３の各部を制御する。
【００３１】
以上のように構成された印刷システム１において、携帯端末２では、テキスト編集後、ユーザーが印刷実行を指示すると、端末側制御部１７が印刷データを生成し、生成した印刷データが端末側インターフェース１６から出力される。テープ印刷装置３では、装置側制御部２３が、受信した印刷データに基づいて、送りモーター２０および印刷ヘッド１８を駆動制御する。これにより、テープ状部材６に対して印刷画像が印刷される。また、装置側制御部２３は、印刷データに基づいて、カッターモーター２１を駆動制御する。これにより、テープカッター１９が、送られてきたテープ状部材６の印刷済み部分を切り離す。このようにして、テープ印刷装置３は、所望の印刷画像が印刷されたラベルを作成する。
【００３２】
続いて、図３ないし図８を参照して、携帯端末２が実行するテキスト編集から印刷データ出力までの一連の処理について詳細に説明する。まず、ユーザーが専用アプリケーションを起動すると、端末側制御部１７は、メイン画面２４をディスプレイ１３に表示する（図３参照）。
【００３３】
メイン画面２４には、テキスト編集領域２５、テープ長設定領域２６、テープ幅設定領域２７、文字サイズ設定領域２８、ツールバー２９などが設けられている。
【００３４】
テキスト編集領域２５は、ユーザーが印刷しようとするテキストの編集を行うための領域である。例えば、ユーザーがテキスト編集領域２５をタップすることで、ソフトウェアキーボード（図示省略）が表示され、テキスト編集が可能となる。ここでは、「Ｓａｍｐｌｅ」と入力・編集されたものとする。
【００３５】
テープ長設定領域２６は、テープ長（ラベルの長さ）を設定するための領域であり、テキストの長さ（文字数）に応じてテープ長が変わる「自動」と、ユーザーが指定した長さにテープ長が固定される「固定」とが選択可能となっている。
【００３６】
テープ幅設定領域２７は、テープ幅（ラベルの幅）を設定するための領域であり、用意されている複数種のテープ幅のなかから、使用するテープ幅に合わせて選択可能となっている。
【００３７】
文字サイズ設定領域２８は、印刷される文字のサイズを設定するための領域であり、「大」「中」「小」の３種類から選択可能となっている。
【００３８】
ツールバー２９には、印刷実行を指示するための印刷アイコン３１、プレビュー表示を行うためのプレビューアイコン３２などが設けられている。
【００３９】
ユーザーが、テキスト編集およびテープ長等の設定の後、プレビューアイコン３２をタップすると、端末側制御部１７は、印刷プレビュー画面３３をディスプレイ１３に表示する。印刷プレビュー画面３３では、無地一色の背景画像３４の中央に、ラベルのプレビュー画像３５が表示される。
【００４０】
また、印刷プレビュー画面３３には、保存ボタン３６、カメラＯＮ／ＯＦＦボタン３７、色設定ボタン３８、終了ボタン３９が設けられている。保存ボタン３６は、写真（静止画）を撮像・保存するためのものである。カメラＯＮ／ＯＦＦボタン３７は、後述するように、カメラモジュール１５を起動するためのものである。色設定ボタン３８は、プレビュー画像３５におけるテープ色および文字色を変更するためのものである。終了ボタン３９は、印刷プレビュー画面３３を閉じて、メイン画面２４に戻るためのものである。
【００４１】
ここで、端末側制御部１７は、プレビュー画像３５を、メイン画面２４において設定されたテープ長およびテープ幅に基づいたサイズ、例えば実寸大に表示する（図４参照）。なお、テープ長設定領域２６において、「自動」と設定された場合には、端末側制御部１７が、テキスト編集領域２５に入力されたテキストの長さと、文字サイズ設定領域２８において設定された文字サイズとから、テープ長を算出する。
【００４２】
続いて、ユーザーが、ラベルが貼付される貼付箇所４１（例えば、ディスプレイ装置の表示面とは反対側の面）に、カメラモジュール１５の撮像レンズ８を向けた状態（図５（ｂ）参照）で、カメラＯＮ／ＯＦＦボタン３７をタップすると、端末側制御部１７は、カメラモジュール１５を起動する。そして、端末側制御部１７は、印刷プレビュー画面３３において、背景画像３４を、カメラモジュール１５が撮像している貼付箇所画像４２（リアルタイム画像）に切り換えると共に、等倍表示ボタン４３を表示する（図５（ａ）参照）。すなわち、ディスプレイ１３には、プレビュー画像３５と、貼付箇所画像４２とを重ね合わせた合成画像４４が表示される。
なお、ユーザーは、以下の操作を、リアルタイム画像のまま行ってもよく、保存ボタン３６をタップして撮像・保存した静止画上で行ってもよい。
【００４３】
端末側制御部１７は、合成画像４４をディスプレイ１３に表示した状態において、プレビュー画像３５を変形させるためのタッチパネル１４へのタッチ操作を受け付ける。そして、端末側制御部１７は、タッチパネル１４が検出したユーザーのタッチ操作に基づいて、変形させたプレビュー画像３５をディスプレイ１３に表示する。
【００４４】
プレビュー画像３５を変形させる操作としては、プレビュー画像３５を拡大縮小させるためのプレビュー画像３５に対するタッチ操作と、プレビュー画像３５を等倍表示するための等倍表示ボタン４３に対するタッチ操作と、プレビュー画像３５を台形変形させるためのプレビュー画像３５に対するタッチ操作とがある。
【００４５】
ユーザーがプレビュー画像３５を拡大縮小させるためのプレビュー画像３５に対するタッチ操作（例えば、プレビュー画像３５の角部や辺をグリッド等）を行うことで、例えば、合成画像４４において、実寸大で表示されたプレビュー画像３５が、貼付箇所画像４２に対して大きすぎた場合にも（図５（ａ）参照）、プレビュー画像３５を縮小させて表示することができる（図６（ａ）参照）。
【００４６】
また、プレビュー画像３５を等倍表示するための等倍表示ボタン４３に対するタッチ操作（タップ等）を行うことで、貼付箇所画像４２の表示倍率と同じ表示倍率で、プレビュー画像３５を表示することができる。すなわち、ユーザーにより等倍表示ボタン４３がタップされると、端末側制御部１７は、貼付箇所画像４２の表示倍率を算出する。そして、端末側制御部１７は、算出した貼付箇所画像４２の表示倍率と同じ表示倍率で、プレビュー画像３５をディスプレイ１３に表示する（図６（ｂ）参照）。
なお、この表示倍率は、例えば、撮像レンズ８を構成するフォーカスレンズの位置から撮像距離を求め、求めた撮像距離と撮像画角とから、撮像距離における撮像範囲の寸法を求め、さらに、求めた撮像範囲の寸法とディスプレイ１３の表示範囲の寸法との比を求めることで、算出することが可能である。
【００４７】
ユーザーは、プレビュー画像３５を等倍表示させた後においても、プレビュー画像３５をさらに変形させることが可能である。例えば、等倍表示させたプレビュー画像３５が、貼付箇所画像４２に対して小さすぎた場合には（図６（ｂ）参照）、ユーザーがプレビュー画像３５を拡大させるタッチ操作することで、プレビュー画像３５を拡大させて表示することができる（図６（ａ）参照）。
【００４８】
このように、合成画像４４がディスプレイ１３に表示された状態で、ユーザーがプレビュー画像３５を拡大縮小或いは等倍表示させる操作を行うことで、貼付箇所画像４２に対するプレビュー画像３５の相対サイズが変化した合成画像４４をディスプレイ１３に表示する。このため、ユーザーは、ディスプレイ１３に表示された合成画像４４を確認しながら、貼付箇所画像４２とプレビュー画像３５とのサイズバランスを変化させることができる。したがって、ユーザーが、ディスプレイ１３に表示された貼付箇所画像４２とプレビュー画像３５とのサイズバランスを容易に調整することができる。これゆえ、ユーザーは、ラベルの印刷前に、貼付箇所画像４２とプレビュー画像３５とのサイズバランスが調整された貼付イメージを確認することができる。
なお、本実施形態では、プレビュー画像３５を拡大縮小させたが、貼付箇所画像４２を拡大縮小させることで、貼付箇所画像４２に対するプレビュー画像３５の相対サイズを変化させるようにしてもよい。
【００４９】
サイズバランスの調整・確認後、ユーザーが、印刷プレビュー画面３３において、終了ボタン３９をタップすると、端末側制御部１７は、印刷プレビュー画面３３を閉じ、メイン画面２４を再びディスプレイ１３に表示する（図３参照）。続いて、ユーザーが、印刷アイコン３１をタップすると、端末側制御部１７は、印刷データを作成する。
【００５０】
ここで、端末側制御部１７は、印刷データを、メイン画面２４において設定されたテープ長およびテープ幅に基づいたサイズで作成する。例えば、メイン画面２４において設定されたテープ長が３５０ｍｍでテープ幅が１００ｍｍの場合、ラベルのサイズもテープ長が３５０ｍｍでテープ幅が１００ｍｍとなるように、印刷データを作成する。
【００５１】
もっとも、端末側制御部１７は、メイン画面２４において設定されたテープ長およびテープ幅にかかわらず、貼付箇所４１とラベルとのサイズ比が、相対サイズの変化後における貼付箇所画像４２とプレビュー画像３５とのサイズ比と等しくなるように、印刷データを作成してもよい。
【００５２】
例えば、端末側制御部１７は、貼付箇所画像４２の表示倍率と、タッチ操作による拡大縮小直前のプレビュー画像３５の表示倍率と、プレビュー画像３５の拡大縮小率とに基づいて、ラベルサイズの変化率を算出し、算出したラベルサイズの変化率に基づいて印刷データを作成する。より具体的には、６０％の表示倍率で表示されている貼付箇所画像４２に対し、実寸表示（１００％の表示倍率）で表示されているプレビュー画像３５を、タッチ操作によりテープ長を９０％のサイズに縮小した場合、端末側制御部１７は、ラベルサイズ（テープ長）の変化率を１５０％（０．９／（０．６／１）＝１．５）と算出する。この場合、メイン画面２４において設定されたテープ長が３５０ｍｍだとすると、端末側制御部１７は、実際のテープ長が５２５ｍｍとなるように、印刷データを作成する。これにより、貼付箇所画像４２とプレビュー画像３５とのサイズバランスの調整結果を反映したサイズのラベルを印刷することが可能となる。なお、テープ長に加えてテープ幅を最適なテープ幅に変更するようにしてもよい。
【００５３】
さらに、プレビュー画像３５を変形させる操作として、プレビュー画像３５を台形変形させるためのプレビュー画像３５に対するタッチ操作（例えば、プレビュー画像３５の角部をドラッグ等）を行うことで、プレビュー画像３５を台形変形させることも可能である。
【００５４】
より具体的には、合成画像４４において、プレビュー画像３５が矩形状に表示されているのに対し、貼付箇所４１を斜めから撮像したために（図７（ｂ）参照）、貼付箇所画像４２が台形に歪んでいる場合があり得る（図７（ａ）および図８（ａ）参照）。このような場合にも、プレビュー画像３５が貼付箇所画像４２と同等の台形歪み量となるように、ユーザーがプレビュー画像３５を台形変形させるタッチ操作をすることで、プレビュー画像３５を台形変形させて表示することができる（図８（ｂ）参照）。
なお、印刷プレビュー画面３３に、台形変形を行うためのボタン等を表示し、そのボタンをタップすることで、端末側制御部１７が自動的にプレビュー画像３５を台形変形するようにしてもよい。
【００５５】
このように、合成画像４４がディスプレイ１３に表示された状態で、ユーザーがプレビュー画像３５を台形変化させる操作を行うと、台形変化したプレビュー画像３５がディスプレイ１３に表示される。このため、ユーザーは、ディスプレイ１３に表示された合成画像４４を確認しながら、プレビュー画像３５を台形変形させることができる。したがって、ディスプレイ１３に表示された貼付箇所画像４２の台形歪み量と、プレビュー画像３５の台形歪み量とが異なる場合にも、両者の台形歪み量が一致するように、プレビュー画像３５を台形変形することができ、合成画像４４を違和感のないものとすることができる。
【００５６】
以上のように、本実施形態の印刷システム１によれば、ディスプレイ１３に表示された貼付箇所画像４２とプレビュー画像３５とのサイズバランスを容易に調整することができる。なお、印刷媒体としては、テープ状部材６に限らず、ＰＰＣ（Plain Paper Copier）用紙など所定サイズのものであってもよい。また、貼付箇所画像４２は、携帯端末２が備えたカメラモジュール１５により撮像したものである必要はなく、他の撮像装置により撮像したものを携帯端末２のディスプレイ１３に表示するようにしてもよい。さらに、表示装置としては、携帯端末２に限らず、ディスプレイ（表示部）を備えたパソコンなどであってもよい。また、本実施形態では、印刷システム１として、携帯端末２が生成した印刷データをテープ印刷装置３に送信する構成を採用したが、これに限定されるものではなく、スタンドアロンで画像編集から印刷／切断処理まで行うテープ印刷装置３により、印刷システム１を構成してもよい。
【符号の説明】
【００５７】
１：印刷システム、２：携帯端末、３：テープ印刷装置、１３：ディスプレイ、１４：タッチパネル、１５：カメラモジュール、３５：プレビュー画像、４２：貼付箇所画像、４４：合成画像
【図１】
2014203423.tif 000003
【図２】
2014203423.tif 000004
【図３】
2014203423.tif 000005
【図４】
2014203423.tif 000006
【図５】
2014203423.tif 000007
【図６】
2014203423.tif 000008
【図７】
2014203423.tif 000009
【図８】
2014203423.tif 000010